(57)【要約】【課題】案内しようとする施設物又は施設のジオフェンスが互いに重なることなく、境界線におけるＧＰＳ受信信号の誤差を制御するよう、内部／外部緩衝地帯を備えた様々な形態のジオフェンス基盤の指定地域自動案内システムを提供する。【解決手段】周辺地形構造を考慮した内部／外部緩衝地帯を備えた様々な形態のジオフェンス設定を可能にし、ジオフェンスの端で誤作動が発生する問題を改善するための緩衝地帯設定機能と指定地域の地形構造の多様性に対して体系的かつ効果的な案内のために案内しようとする施設物及び施設を多段階階層化するジオフェンス階層設定機能、指定地域を訪問しなくても該当の指定地域の情報を照会する情報照会モード、予め設定した仮想経路に沿って案内されることができる仮想体験モード、モバイル機器を携帯しているユーザが該当の指定地域を訪問して自動で指定地域案内アプリインストール及び自動案内を受けることができるアプリとこれを用いた位置基盤自動案内方法が開示される。【選択図】図１
2017174415.tif 000002
【特許請求の範囲】
【請求項１】
ユーザ情報管理モジュール、指定地域一般情報管理モジュール、指定地域ジオフェンス情報管理モジュール、指定地域仮想経路情報管理モジュールを含む情報管理ユニットと、
前記情報管理ユニットで生成または参照するユーザ情報データベース、指定地域一般情報データベース、指定地域ジオフェンス情報データベース、指定地域仮想経路情報データベースを管理するデータベース管理ユニットと、
を含み、
前記指定地域ジオフェンス情報管理モジュールは、
指定地域名称、イメージファイル及びＧＰＳ座標（経度、緯度）情報を照会して指定地域を決定する機能と、
前記決定された指定地域に、案内しようとする施設物の周辺地形構造を考慮して定形又は非定型円形、楕円形、三角形、四角形、五角形、非定型多角形、及び両端が開放された形態のいずれか１つのジオフェンス形態を決定し、決定された形態のジオフェンスを設定する機能と、
前記設定されたそれぞれのジオフェンスの端におけるＧＰＳ誤差による誤認識を防止するために特定ＧＰＳ座標ごとに内廓境界線、内部緩衝地帯、ジオフェンス、外部緩衝地帯、外郭境界線を同時に設定する機能と、
指定地域を効果的に案内するための２ステップ以上の多段階階層（Multi-Levelor Grandparent-Parent-Child）を有する多段階階層ジオフェンスを設定する機能と、
を含む、内部／外部緩衝地帯を備えた様々な形態のジオフェンス基盤の指定地域自動案内システム。
【請求項２】
前記指定地域仮想経路情報管理モジュールは、指定地域の仮想移動経路に沿って仮想的に移動しながら指定地域に属する施設物又は施設を仮想体験するように仮想経路を設定する機能を含む、請求項１に記載の内部／外部緩衝地帯を備えた様々な形態のジオフェンス基盤の指定地域自動案内システム。
【請求項３】
前記内部／外部緩衝地帯を備えた様々な形態のジオフェンス基盤の指定地域自動案内システムを構築した指定地域の特定Ｗｉ−Ｆｉ網に接続されているＡＰ（Access Point）装置がモバイル機器を認識した場合、内部／外部緩衝地帯を備えた様々な形態のジオフェンス基盤の指定地域自動案内システム紹介及びインストールを自動案内する機能と、
モバイル機器を携帯しているユーザがモバイル機器を用いて内部／外部緩衝地帯を備えた様々な形態のジオフェンス基盤の指定地域自動案内システムのうち指定地域案内アプリのインストールを許容した場合、クラウドシステムに登録されている指定地域案内アプリを前記モバイル機器に送信する機能と、
モバイル機器を携帯しているユーザが指定地域案内アプリの運営モードを移動通信網の独立運営として選択した場合、前記指定地域の最上位ジオフェンスの外郭境界線を境界とするデジタル地図及び前記指定地域関連情報を含むデータベースを抽出する機能と、
を含む、請求項１に記載の内部／外部緩衝地帯を備えた様々な形態のジオフェンス基盤の指定地域自動案内システム。
【請求項４】
指定地域案内アプリの実行環境（ユーザ選好言語設定、ＴＴＳ声の種類、移動通信網連係運営又は独立運営のうちいずれか１つ以上）を設定する環境設定モジュールと、指定地域の案内しようとする施設物又は施設の名称、写真、バーチャルリアリティ動画、説明文、環境設定で定義した言語からなる翻訳文のうちいずれか１つ以上を提供する地域案内情報提供モジュールと、前記指定地域の案内しようとする施設物又は施設のＧＰＳ座標情報（経度、緯度）、ジオフェンス情報を提供するジオフェンス情報提供モジュールと、案内しようとする指定地域の施設物又は施設を連結する経路情報を提供する経路案内情報提供モジュールと、モバイル機器を携帯しているユーザが前記地域案内情報提供モジュールが提供する指定地域に属する施設物又は施設のリストを確認して、いずれかの施設物又は施設を選択して該当の施設物又は施設の情報を照会する情報照会モジュールと、モバイル機器を携帯しているユーザが前記指定地域を訪問することなく、遠隔地で経路案内情報提供モジュールが提供する仮想経路情報を用いて仮想で体験させる仮想体験モジュールと、モバイル機器を携帯しているユーザが前記指定地域を訪問して移動しながら該当の施設物又は施設にアクセスした場合、前記地域案内情報提供モジュールが提供する情報が自動案内される現場実行モジュールと、前記現場実行モジュールで経由した施設物又は施設の情報を管理する経由地情報管理モジュールを含む地域案内ユニットと、
前記地域案内ユニットで生成または参照する選好言語の種類、ＴＴＳ声の種類、移動通信網連係運営又は独立運営の有無、開発者情報、ヘルプのいずれか１つ以上を含む環境情報データベースと、前記指定地域の名称、面積、居住人口数、指定地域を代表する写真ファイル、説明、前記指定地域内の主な施設物又は施設の写真ファイル、バーチャルリアリティ動画、韓国語からなる施設物又は施設の特徴説明とこれを英語、日本語、中国語、フランス語、ドイツ語、スペイン語などの外国語うちの１つ以上の言語に翻訳した説明文のうちいずれか１つ以上の情報を含む地域案内情報データベースと、前記指定地域内の該当の施設物又は施設のＧＰＳ座標情報（経度、緯度）、周辺地形構造を考慮したジオフェンス形態、外郭境界線、外部緩衝地帯、ジオフェンス、内部緩衝地帯、内廓境界線、上位施設物ＩＤ、下位施設物又は施設ＩＤ、ビーコン情報ＩＤのうちいずれか１つ以上の情報を含むジオフェンス情報データベースと、指定地域管理者が推薦する経路を仮想経路ＩＤ、仮想経路名称、仮想経路ＩＤごとに接続される施設物又は施設のＩＤ、各施設物又は施設間の距離及び通過所用時間のうちいずれか１つ以上を含む経路案内情報データベースと、前記現場実行モジュールで経由した関心地域のジオフェンス情報を含む経由地情報データベースを管理するデータベース管理ユニットと、
を含む内部／外部緩衝地帯を備えた様々な形態のジオフェンス基盤の指定地域自動案内システム。
【請求項５】
前記仮想体験モジュールは、モバイル機器を携帯しているユーザが該当の指定地域を訪問することなく、指定地域管理者が設定した仮想経路に沿って仮想的に移動して指定地域に属する施設物又は施設のジオフェンスに仮想的に達した場合、自動的に該当の施設の写真、バーチャルリアリティ動画、環境設定で選択した言語で備えられたテキスト情報及び備えられたテキスト情報をＴＴＳ（Text-to-Speech）インターフェース機能を用いて変換された音声情報を同時に提供する機能を含む、請求項４に記載の内部／外部緩衝地帯を備えた様々な形態のジオフェンス基盤の指定地域自動案内システム。
【請求項６】
前記情報照会モジュールは、モバイル機器を携帯しているユーザが該当の指定地域を訪問することなく、指定地域管理者が登録した施設物又は施設のリストを確認していずれかの施設物又は施設を選択した場合、該当の施設物又は施設の写真、バーチャルリアリティ動画、環境設定で選択した言語で備えられたテキスト情報及び備えられたテキスト情報をＴＴＳインターフェース機能を用いて変換された音声情報を同時に提供する機能を含む、請求項４に記載の内部／外部緩衝地帯を備えた様々な形態のジオフェンス基盤の指定地域自動案内システム。
【請求項７】
前記現場実行モジュールは、モバイル機器を携帯しているユーザが内部／外部緩衝地帯を備えた様々な形態のジオフェンス基盤の指定地域自動案内システムのうち、指定地域案内アプリのインストールを許容するとき運営モードを移動通信網独立に指定する場合、該当の指定地域最上位ジオフェンスの外郭境界線を境界にするデジタル地図及び該当の指定地域関連情報を含むデータベースをダウンロードする機能と、
環境設定で運営モードを移動通信網の連係実行に指定する場合、クラウドシステムのデータベースとリアルタイムに同期化する機能と、
を含む、請求項４に記載の内部／外部緩衝地帯を備えた様々な形態のジオフェンス基盤の指定地域自動案内システム。
【請求項８】
前記現場実行モジュールは、モバイル機器を携帯しているユーザが指定地域の施設物又は施設の外郭境界線、外部緩衝地帯、ジオフェンス、内部緩衝地帯、内廓境界線に達するとき、指定地域の気象環境、ＧＰＳ受信装置の未作動状況を備え、補完装置として施設物にインストールされたビーコン信号を同時に受信して指定地域の施設物又は施設位置情報を迅速かつ正確に認知させ、施設物又は施設の情報をユーザに自動提供する機能を含む、請求項４に記載の内部／外部緩衝地帯を備えた様々な形態のジオフェンス基盤の指定地域自動案内システム。
【請求項９】
前記現場実行モジュールは、
モバイル機器を携帯しているユーザが訪問した指定地域の施設物又は施設のジオフェンスから離れる場合、該当の施設物又は施設への進入日時、進出日時、経由地ＧＰＳ座標情報を経由地情報データベースに記録する機能と、
既経由地から離れると同時に、次の訪問先を自動抽出するために既経由地を新しい次の訪問先認識対象から直ちに除くことによって、ＧＰＳの誤差による既経由地と次の訪問先に対する認識エラーを除去する機能と、
前記経由地情報データベースに記録された既経由した施設物又は施設を除いた施設物又は施設のうち最短時間に到達可能な施設物又は施設を抽出して該当の施設物又は施設までの距離、方向、予想所用時間情報、指定地域内の施設物又は施設の全てを訪問するときの総距離、及び予想総時間と現在まで経由した総距離及び総所用時間情報を同時に提供する機能と、
を含む、請求項４に記載の内部／外部緩衝地帯を備えた様々な形態のジオフェンス基盤の指定地域自動案内システム。
【請求項１０】
前記現場実行モジュールは、モバイル機器を携帯しているユーザが指定地域案内アプリの運営モードを移動通信網の独立運営として選択した場合、ユーザのモバイル機器にダウンロードした指定地域の最上位ジオフェンス境界と一致するオフラインデジタル地図とＧＰＳインターフェースモジュールと羅針盤アプリインターフェースモジュールを用いてユーザが移動する方向を自動でリアルタイムに把握して目的地まで安全に案内する機能を含む、請求項９に記載の内部／外部緩衝地帯を備えた様々な形態のジオフェンス基盤の指定地域自動案内システム。
【発明の詳細な説明】
【技術分野】
【０００１】
本発明は、内部／外部緩衝地帯を備えた様々な形態のジオフェンス基盤の指定地域自動案内システムに関する。
【背景技術】
【０００２】
ＫＴ経済研究所によると、２０１６年３月を基準にしてスマートフォン普及率が８０％以上である国が韓国（９１％）の他に１２ヶ国であり、スマートフォンは現代人の必須品になりつつあり、トータルエンターテインメント機器が進化している傾向である。
【０００３】
最近、デジタルの地図上にある指定地域に対する仮想境界を設定してモバイル機器を携帯しているユーザが仮想境界にアクセスした場合、関連情報を提供しているサービスを実現するための試みが行われている。ジオフェンス（geofence）とは、「地球、土壌」などの意味を有する接頭語である「geo」と垣根という意味を有する「fence」とを結合した単語であって、辞書的には「実際の地形に区切られた仮想の半径（a virtual perimeter for areal-world）」の意味を有する。このようなジオフェンスは、特定地点を中心にする半径１００ｍ空間に予め決定した区域がジオフェンスの役割をする。ジオフェンシング（geofencing）は、語源的に、地理的（geographic）及び垣根（fencing）の合成語である。地理的にフェンスの中にモバイル機器を携帯しているユーザの出入口の有無を知らせるＡＰＩ（Application Programming Interface）技術である。これは位置追跡技術のうちの１つであるＧＰＳ（Global Positioning System、全地球測位システム）を用いたインターフェースといえるが、ＧＰＳを用いてジオフェンスという仮想の垣根を設定すると、ジオフェンス区域にモバイル機器を携帯しているユーザの出入りを知らせることがジオフェンシングの役割である。
【０００４】
デジタル地図及びジオフェンスを用いて自動案内する位置基盤サービス（ＬＢＳ：Location-Based Service）は、グーグル／アップル社のジオフェンシングＡＰＩ技術を用いている。これはＧＰＳ座標（緯度、経度）を中心として、一定の長さを半径にする円形及び一定の形態の多角形ジオフェンスを用いる。しかし、一般的な位置基盤サービスは、周辺の地形構造を十分に反映できず、商業用ＧＰＳ信号は構造的な要因（例えば、人工衛星の時間誤差、人工衛星の位置誤差、電離層と対流層の屈折、雑音、多重経路など）と人工衛星の配置状況に応じる幾何学的な要因及び選択的可用性（Selective Availability：許可受されていないユーザが一定の限度内に正確性を取得できないように故意に人工衛星の時間に誤差を挿入し、９５％の確率で最大１００ｍまでの誤差を発生させる技術）による誤差を含んでいる。したがって、モバイル機器を携帯しているユーザがある施設のジオフェンスの縁に位置する場合、ユーザの位置情報がジオフェンス内外を常に移動するものと表示され、正確な位置基盤サービスを提供することが難しいという問題がある。
【０００５】
また、最近、事物インターネット（ＩｏＴ：Internet of Things）技術、ブルートゥース（Bluetooth）通信、近接通信（ＮＦＣ：Near Field Communication）技術、ビーコン（Beacon）技術の発達により事物間の通信が盛んに行われている。指定地域の施設物又は施設に近接無線通信（ＮＦＣ：Near Field Communication）用のＮＦＣタグを設け、モバイル機器を携帯しているユーザがＮＦＣタグに近接にアクセスしなければ情報が受信されず、詳細な情報をウェブサーバーシステムでダウンロードして関連情報が案内される。しかし、ジオフェンシング技術と事物インターネット技術とを融合した案内システムは、前もって費用を払ってＮＦＣタグ又はビーコンを設けなければならず、今後、持続的なメンテナンスをしなければならない不便がある。また、モバイル機器を携帯しているユーザが移動通信網を用いることを許容してモバイル機器がウェブサーバーシステムに接続し、写真、バーチャルリアリティ動画、及び説明文をダウンロードするとき、ウェブサーバーシステムに過負荷が誘発することがある。また、特定時間帯に複数のモバイル機器が移動通信網に接続することで、アップリンク（Up-Link）及びダウンリンク（Down-Link）が急激に増加する場合、移動通信網の瞬間的な障害が誘発し得る。また、モバイル機器を携帯しているユーザはデータ通信コスト、特に、外国人が用いる場合にデータローミングサービスによる過剰なデータ通信コストが発生する問題がある。また、写真、バーチャルリアリティ動画と共にテキスト情報を歩きながら確認する行為は、周辺の突発状況に適切に対応することが難しく、深刻な安全事故が発生する危険があり、多国語で情報を提供するための限界がある。また、グーグル／アップル社で提供するジオフェンシングＡＰＩ（Geofencing Application Programming Interface）は、ＧＰＳ座標を中心にする特定の長さを半径にする単なる円形及び多角形の構造のみが設定可能であるため、指定地域及び指定地域に含まれた各種の施設物又は施設が配置された地形構造を反映した位置基盤の案内が正確に行われ難しいという問題がある。
【発明の概要】
【発明が解決しようとする課題】
【０００６】
本発明は、上記のような問題を解決するために案出されたものであり、案内しようとする施設物又は施設のジオフェンスが互いに重なることなく、境界線におけるＧＰＳ受信信号の誤差を制御するよう、内部／外部緩衝地帯を備えた様々な形態のジオフェンス基盤の指定地域自動案内システムを提供することにある。
【課題を解決するための手段】
【０００７】
上記のような目的を達成するための内部／外部緩衝地帯を備えた様々な形態のジオフェンス基盤の指定地域自動案内システムは、案内しようとする指定地域及び指定地域に属する各種の施設物又は施設の写真、バーチャルリアリティ動画、説明文、ジオフェンス、ジオフェンス階層、ビーコンＩＤ情報、仮想経路情報を管理し、モバイル機器で情報提供の要求があれば関連情報を提供するクラウドシステム（ＳａａＳ：Software as a Service）とモバイル機器を携帯しているユーザの要求に応じてモバイル機器に設けられる指定地域案内アプリで構成される。モバイル機器に設けられる指定地域案内アプリは、モバイル機器を携帯しているユーザの要求又は承認によって移動通信網と連係してクラウドシステム（ＳａａＳ：Software as a Service）に接続して関連情報を活用して案内したり、クラウドシステムのデータベースのうち該当の指定地域に関するデータの全てを指定地域案内アプリの内部データベースを同期化して格納した後、移動時移動通信網及びクラウドシステムを接続することなく、該当の指定地域の詳細情報案内を可能にする。クラウドシステムは、システムを使用しようとするユーザのユーザ情報を管理するユーザ情報管理モジュール、案内しようとする地域の一般情報を管理する指定地域一般情報管理モジュール、指定地域の周辺地形の構造を考慮した内部／外部の緩衝地帯を備えた様々なジオフェンス形態、ＧＰＳ誤差を最大限に補正するための内廓境界線、内部緩衝地帯、ジオフェンス、外部緩衝地帯、外郭境界線、ビーコンＩＤ、多段階階層構造情報を管理する指定地域ジオフェンス情報管理モジュール、指定地域の仮想体験経路を管理する指定地域仮想経路情報管理モジュールを含む情報管理ユニットが含まれ、ユーザのモバイル機器に設けられる指定地域案内アプリは、ユーザ選好言語（韓国語、英語、日本語、中国語、ドイツ語、フランス語、スペイン語のうちのいずれか１つ）設定、ＴＴＳ声の種類、ＧＰＳ位置情報使用の有無、移動通信網連係又は独立実行の有無のいずれか１つ以上を設定する環境設定モジュール、指定地域及び指定地域の案内しようとする施設物又は施設の名称、写真、バーチャルリアリティ動画、説明文、環境設定で定義した言語からなる翻訳文のいずれか１つ以上を提供する地域案内情報提供モジュール、指定地域の案内しようとする施設物又は施設のＧＰＳ座標情報、内廓境界線、内部緩衝地帯、ジオフェンス、外部緩衝地帯、外郭境界線、ジオフェンス階層情報、ビーコンＩＤ情報のいずれか１つ以上を提供するジオフェンス情報提供モジュール、指定地域の案内しようとする施設物又は施設を仮想的に接続する仮想経路情報を提供する経路案内情報提供モジュール、モバイル機器を携帯しているユーザが該当の指定地域を訪問することなく、地域案内情報提供モジュールが提供する各種情報を選択して照会する情報照会モジュール、モバイル機器を携帯しているユーザが指定地域を訪問することなく、遠隔地で案内情報提供モジュールが提供する仮想経路情報を用いて仮想で体験させる仮想体験モジュール、モバイル機器を携帯しているユーザが指定地域を実際に訪問して移動しながら該当の施設物又は施設にアクセスした場合、地域案内情報提供モジュールが提供する情報を案内される現場実行モジュール、現場実行モジュールで経由した施設物又は施設の情報を管理する経由地情報管理モジュールを含む地域案内ユニットが含まれる。
【０００８】
一側面によれば、前記クラウドシステムの情報管理ユニットで生成または参照されるデータは、データベース管理システムによって管理されるユーザ情報データベース、指定地域一般情報データベース、指定地域ジオフェンス情報データベース、指定地域仮想経路情報データベースを含むデータベース管理ユニットが含まれる。
【０００９】
一側面によれば、前記ユーザのモバイル機器に設けられる指定地域案内アプリの地域案内ユニットが移動通信網と独立的な実行のために参照するデータベースは、クラウドシステムで管理されるデータベースのうち、該当の指定地域関連情報のみを抽出して指定地域案内アプリが自体的に有するデータベースに指定地域の名称、面積、居住人口数、指定地域を代表する写真ファイル、説明、指定地域内各種の施設物又は施設の写真、バーチャルリアリティ動画、韓国語からなる施設物又は施設の特徴説明とこれを英語、日本語、中国語、ドイツ語、フランス語、スペイン語の１つに翻訳した説明文のうちいずれか１つ以上の情報を含む地域案内情報データベース、指定地域内の該当の施設物又は施設のＧＰＳ座標情報（経度、緯度）、周辺の地形構造を勘案した該当の施設物又は施設のジオフェンス形態、外郭境界線、外部緩衝地帯、ジオフェンス、内部緩衝地帯、内廓境界線、上位施設物ＩＤ、下位施設物又は施設のＩＤ、ビーコンＩＤ情報のうちいずれか１つ以上の情報を含むジオフェンス情報データベース、指定地域管理者が推薦する経路を仮想経路ＩＤ、仮想経路名称、仮想経路ＩＤごとに仮想的に接続される施設物又は施設のＩＤ、各施設物又は施設間の距離及び通過所用時間（徒歩）のうちいずれか１つ以上を含む経路案内情報データベース、前記現場実行モジュールで経由した施設物又は施設のＩＤ及びジオフェンス情報、ビーコンＩＤ情報を含む経由地情報データベースを管理するデータベース管理ユニットが含まれる。一方、データベース管理ユニットは、モバイル機器を携帯しているユーザが移動通信網と連係して実行する場合、環境情報データベース、経由地情報データベースを管理し、地域案内情報データベース、ジオフェンス情報データベース、経路案内情報データベースは、クラウドシステムのデータベース管理ユニットによって管理されるデータベースとリアルタイム同期化によってデータを参照する。
【００１０】
一側面によれば、前記地域案内ユニットでモバイル機器を携帯しているユーザに地域案内するためにモバイル機器で実行されるＧＰＳ信号受信プログラム、Ｗｉ−Ｆｉ、３Ｇ又は４Ｇ通信プログラム、ＴＴＳ（Text-to-Speech）プログラム、デジタル羅針盤アプリとのインターフェースを実行するＧＰＳインターフェースモジュール、（Ｗｉ−Ｆｉ、３Ｇ／４Ｇ）通信インターフェースモジュール、ＴＴＳインターフェースモジュール、羅針盤アプリインターフェースモジュール、クラウドシステムのデータベースとモバイルデータベースを同期化する同期化モジュールを含むインターフェースユニットが含まれる。
一方、上述した本発明の実施形態に係る内部／外部緩衝地帯を備えた様々な形態のジオフェンス基盤自動案内システムは、複数の指定地域案内のための仮想のサーバシステムをクラウドコンピューティング技術を適用して構築し、クラウドシステムのユーザの情報を登録するクラウドシステムユーザ情報登録ステップ、指定地域関連情報を登録する指定地域関連情報登録ステップ、指定地域案内指定地域案内アプリ登録ステップ、指定地域案内アプリを自動インストールするステップ、指定地域案内を自動で実行する指定地域自動案内ステップを含む。
【００１１】
一側面によれば、前記クラウドシステムユーザ登録ステップにおける内部／外部緩衝地帯を備えた様々な形態のジオフェンス基盤の指定地域自動案内システムを用いるシステム管理者情報、各指定地域関連情報を管理する指定地域管理者情報をユーザ情報データベースに登録する。
【００１２】
一側面によれば、前記指定地域関連情報登録ステップにおいては、管理しようとする指定地域の名称、概要、指定地域ホームページドメインアドレス、担当者、指定地域内施設物又は施設の名称、施設物又は施設のＧＰＳ座標（経度及び緯度）、施設物又は施設の写真、バーチャルリアリティ動画、説明文、説明文の外国語翻訳文のいずれか１つ以上の指定地域関連情報を指定地域一般情報データベースに登録する。
【００１３】
一側面によれば、前記指定地域案内アプリ登録ステップにおいては、指定地域案内アプリをグーグル／アップル社のアップストア及びクラウドシステムに登録する。
【００１４】
一側面によれば、前記指定地域案内アプリインストールステップにおいては、モバイル機器を携帯しているユーザが手動でグーグル／アップル社のアップストアに接続してアプリを検索してダウンロード及びインストールするか、モバイル機器を携帯しているユーザが指定地域を訪問した場合、該当の指定地域で提供する特定Ｗｉ−Ｆｉ網に接続されている有線／無線ＡＰ装置がモバイル機器を自動で認知して指定地域案内アプリインストール案内メッセージを送信し、送信されたメッセージを確認したモバイル機器を携帯しているユーザが指定地域案内アプリのインストールを承認すれば自動インストールされ、インストールが完了すれば、自動で選好言語及び移動通信網連係又は独立実行の有無を設定する画面を照会させる。
【００１５】
一側面によれば、指定地域自動案内ステップにおいては、モバイル機器を携帯しているユーザが指定地域を訪問することなく、該当の地域を確認できる情報照会モード、指定地域管理者が設定した仮想経路を仮想的に移動しながら鑑賞できる仮想体験モード、及びモバイル機器を携帯しているユーザが指定地域を訪問して移動通信網連係又は移動通信網を用いることなく移動しながら指定地域の概要、指定地域に属する施設物又は施設を自動案内されるようにする現場実行モードを提供する。
【００１６】
上記のような目的を達成するための内部／外部緩衝地帯を備えた様々な形態のジオフェンス基盤の指定地域自動案内システムは、ユーザ情報管理モジュール、指定地域一般情報管理モジュール、指定地域ジオフェンス情報管理モジュール、指定地域仮想経路情報管理モジュールを含む情報管理ユニットと、前記情報管理ユニットで生成または参照するユーザ情報データベース、指定地域一般情報データベース、指定地域ジオフェンス情報データベース、指定地域仮想経路情報データベースを管理するデータベース管理ユニットを含んで構成される。ここで、前記指定地域ジオフェンス情報管理モジュールは、指定地域名称、イメージファイル及びＧＰＳ座標（経度、緯度）情報を照会して指定地域を決定する機能と、前記決定された指定地域に、案内しようとする施設の周辺地理区組を考慮して定形又は非定型円形、楕円形、三角形、四角形、五角形、非定型多角形、及び両端が開放される形態のうちいずれか１つのジオフェンス形態を決定し、決定された形態のジオフェンスを設定する機能と、前記設定されたそれぞれのジオフェンス端におけるＧＰＳ誤差による誤認識を防止するために特定ＧＰＳ座標ごとに内廓境界線、内部緩衝地帯、ジオフェンス、外部緩衝地帯、外郭境界線を同時に設定する機能と、指定地域を効果的に案内するための２ステップ以上の多段階階層（Multi-Levelor Grandparent-Parent-Child）を有する多段階階層ジオフェンスを設定する機能とを含む。
【００１７】
一側面において、前記指定地域仮想経路情報管理モジュールは、指定地域の仮想移動経路に沿って仮想的に移動しながら指定地域に属する施設物又は施設を仮想体験するように仮想経路を設定する機能を含む。
【００１８】
一側面において、前記内部／外部緩衝地帯を備えた様々な形態のジオフェンス基盤の指定地域自動案内システムを構築した指定地域の特定Ｗｉ−Ｆｉ網に接続されているＡＰ装置がモバイル機器を認識すると、内部／外部緩衝地帯を備えた様々な形態のジオフェンス基盤の指定地域自動案内システム紹介及びインストールを自動案内する機能と、前記モバイル機器を携帯しているユーザが前記モバイル機器を用いて内部／外部緩衝地帯を備えた様々な形態のジオフェンス基盤の指定地域自動案内システムの指定地域案内アプリのインストールを許容すれば、クラウドシステムに登録されている指定地域案内アプリをモバイル機器に送信する機能と、モバイル機器を携帯しているユーザが指定地域案内アプリの運営モードを移動通信網の独立運営を選択した場合、前記指定地域の最上位ジオフェンスの外郭境界線を境界にするデジタル地図と前記指定地域関連情報を含むデータベースを抽出する機能とを含む。
【００１９】
一方、内部／外部緩衝地帯を備えた様々な形態のジオフェンス基盤の指定地域自動案内システムは、指定地域案内アプリの実行環境（ユーザ選好言語設定、ＴＴＳ声の種類、ＧＰＳ位置情報使用の有無、移動通信網連係運営又は独立運営のいずれか１つ以上）を設定する環境設定モジュールと、指定地域の案内しようとする施設物又は施設の名称、写真、バーチャルリアリティ動画、説明文、環境設定で定義した言語からなる翻訳文のうちいずれか１つ以上を提供する地域案内情報提供モジュールと、前記指定地域の案内しようとする施設物又は施設のＧＰＳ座標情報（経度、緯度）、ジオフェンス情報を提供するジオフェンス情報提供モジュールと、前記指定地域の案内しようとする施設物又は施設を接続する経路情報を提供する経路案内情報提供モジュールと、ユーザが前記地域案内情報提供モジュールが提供する指定地域に属する施設物又は施設のリストを確認し、いずれかの施設物又は施設を選択して該当の施設物又は施設の情報を照会する情報照会モジュールと、前記ユーザが前記指定地域を訪問することなく、遠隔地で経路案内情報提供モジュールが提供する仮想経路情報を用いて仮想で体験させる仮想体験モジュールと、前記ユーザが前記指定地域を訪問して移動しながら該当の施設物又は施設にアクセスすれば、前記地域案内情報提供モジュールが提供する情報を自動案内される現場実行モジュールと、前記現場実行モジュールで経由した施設物又は施設の情報を管理する経由地情報管理モジュールを含む地域案内ユニット、及び前記地域案内ユニットで生成または参照する選好言語の種類、ＴＴＳ声の種類、移動通信網連係運営又は独立運営の有無、開発者情報、ヘルプのうちいずれか１つ以上を含む環境情報データベースと、前記指定地域の名称、面積、居住人口数、指定地域を代表する写真ファイル、説明、前記指定地域内の主な施設物又は施設の写真ファイル、バーチャルリアリティ動画、韓国語からなる施設物又は施設の特徴説明と、これを英語、日本語、中国語、フランス語、ドイツ語、スペイン語などの外国語うちの１つ以上の言語に翻訳した説明文のいずれか１つ以上の情報を含む地域案内情報データベースと、前記指定地域内の該当の施設物又は施設のＧＰＳ座標情報（経度、緯度）、周辺地形構造を考慮したジオフェンス形態、外郭境界線、外部緩衝地帯、ジオフェンス、内部緩衝地帯、内廓境界線、上位施設物ＩＤ、下位施設物又は施設ＩＤ、ビーコン情報及びＩＤのうちいずれか１つ以上の情報を含むジオフェンス情報データベースと、指定地域管理者が推薦する経路を仮想経路ＩＤ、仮想経路名称、仮想経路ＩＤごとに接続される施設物又は施設のＩＤ、各施設物又は施設間の距離及び通過所用時間のうちいずれか１つ以上を含む経路案内情報データベースと、前記現場実行モジュールで経由した関心地域のジオフェンス情報を含む経由地情報データベースを管理するデータベース管理ユニットと、を含んで構成される。
【００２０】
一側面において、前記仮想体験モジュールは、モバイル機器を携帯しているユーザが該当の指定地域を訪問することなく、指定地域管理者が設定した仮想経路に沿って仮想的に移動して指定地域に属する施設物又は施設のジオフェンスに仮想的に達すれば、自動で該当の施設物の写真、バーチャルリアリティ動画、環境設定で選択した言語で備えられたテキスト情報及び備えられたテキスト情報をＴＴＳインターフェース機能を用いて変換された音声情報を同時に提供する機能を含む。
【００２１】
一側面において、前記情報照会モジュールは、モバイル機器を携帯しているユーザが該当の指定地域を訪問することなく指定地域管理者が登録した施設物又は施設のリストを確認していずれかの施設物又は施設を選択すれば該当の施設物又は施設の写真、バーチャルリアリティ動画、環境設定で選択した言語で備えられたテキスト情報及び備えられたテキスト情報をＴＴＳ（Text-to-Speech）インターフェース機能を用いて変換された音声情報を同時に提供する機能を含む。
【００２２】
一側面において、前記現場実行モジュールは、モバイル機器を携帯しているユーザが内部／外部緩衝地帯を備えた様々な形態のジオフェンス基盤の指定地域自動案内システムのうち、指定地域案内アプリのインストールを許容するとき運営モードを移動通信網独立に指定する場合、クラウドシステムが抽出した該当の指定地域最上位ジオフェンスの外郭境界線を境界にするデジタル地図と該当の指定地域関連情報を含むデータベースをダウンロードする機能及び環境設定で運営モードを移動通信網の連係実行に指定する場合、クラウドシステムのデータベースとリアルタイム同期化を行う機能を含む。
【００２３】
一側面において、前記現場実行モジュールは、モバイル機器を携帯しているユーザが指定地域の施設物又は施設の外郭境界線、外部緩衝地帯、ジオフェンスに達するとき、指定地域の気象環境、ＧＰＳ受信装置の未作動状況を備え、補完装置として施設物にインストールされたビーコン信号を二重に受信して指定地域の施設物又は施設位置情報を迅速かつ正確に認知させ、施設物又は施設の情報をユーザに自動提供する機能を含む。
【００２４】
一側面において、前記現場実行モジュールは、モバイル機器を携帯しているユーザが訪問した指定地域の施設物又は施設のジオフェンスから離れる場合、該当の施設物又は施設への進入日時、進出日時、経由地ＧＰＳ座標情報を経由地情報データベースに記録する機能と、既経由地から離れると同時に、次の訪問先を自動抽出するために既経由地を新しい次の訪問先認識対象から直ちに除くことによって、ＧＰＳの誤差による既経由地と次の訪問先に対する認識エラーを除去する機能と、前記経由地情報データベースに記録された既経由した施設物又は施設を除いた施設物又は施設のうち、最短時間に到達可能な施設物又は施設を抽出して該当の施設物又は施設までの距離、方向、予想所用時間情報、指定地域内の施設物又は施設の全てを訪問するときの総距離及び予想総時間と現在まで経由した総距離及び総所用時間情報を同時に提供する機能を含む。
【００２５】
一側面において、前記現場実行モジュールは、モバイル機器を携帯しているユーザが移動通信網の独立運営を選択した場合、ユーザのモバイル機器にダウンロードする指定地域の最上位ジオフェンス境界と一致するオフラインデジタル地図を用いる機能、及びモバイル機器を携帯しているユーザが移動通信網の独立運営を選択した場合、ＧＰＳインターフェースモジュールと羅針盤アプリインターフェースモジュールを用いてユーザが移動する方向をリアルタイムに把握して目的地まで安全に案内する機能を含む。
【発明の効果】
【００２６】
本発明の様々な実施形態は下記のような効果のうちの１つ以上を有する。
【００２７】
第１に、内部／外部緩衝地帯を備えた様々な形態のジオフェンス設定機能は、様々な地形構造を考慮して、各ジオフェンスが重ならないように内部／外部緩衝地帯を備えた様々な形態のジオフェンスを設定することができる。
【００２８】
第２に、ＧＰＳ座標又は様々なジオフェンス形態を中心にした内廓境界線、外部緩衝地帯、外部緩衝地帯、外郭境界線を補完設定することにより、ユーザがジオフェンスの端に達した時の誤作動を防止し、特定施設ジオフェンスへの出入口情報を正確に認知及び制御することができる。
【００２９】
第３に、最小限に２ステップの階層以上の多段階階層（Multi-Level）構造で構成されるジオフェンス階層構造は、指定地域の特徴、指定地域内施設物又は施設を階層化して体系的に案内することができる。
【００３０】
第４に、近距離通信が可能なビーコンを設けてビーコン信号をジオフェンス情報と重複認知することにより相互補完し、ＧＰＳ誤差を最小化して精密に案内することができる。
【００３１】
第５に、モバイル機器を携帯しているユーザが指定地域を訪問すれば、指定地域の管理者が提供している特定Ｗｉ−Ｆｉ網に接続されている有線／無線ＡＰがユーザが携帯しているモバイル機器を自動認知してモバイル機器に内部／外部緩衝地帯を備えた様々な形態のジオフェンス基盤の指定地域自動案内システム案内及びインストール勧誘メッセージを送信することにより、ユーザが手動でアプリを検索してインストールするという煩わしさを解消し、移動通信網と連係又は独立実行を選択することができ、ユーザのデータ通信コストを節減することができる。
【００３２】
第６に、モバイル機器を携帯しているユーザが直接現場を訪問して指定地域の施設物又は施設を移動しながら案内される場合、予め訪問先を除外処理することによって、予想できないＧＰＳの誤差によるユーザ訪問先に対する自動認識を分離制御処理すると共に、予め訪問先を除いた最短時間に達した次の訪問先を自動抽出して知らせることで、訪問者の便宜を提供することができる。
【００３３】
第７に、クラウドシステム（ＳａａＳ：Software as a Service）を採択した単一システムとして、複数の指定地域ごとの個別（仮想）内部／外部緩衝地帯を備えた様々な形態のジオフェンス基盤自動案内システムを構築する効果、及び１つの内部／外部緩衝地帯を備えた様々な形態のジオフェンス基盤自動案内システムとして、システムメンテナンスが手軽で経済的な運営を可能にする。
【図面の簡単な説明】
【００３４】
【図１】本発明の一実施形態に係る内部／外部緩衝地帯を備えた様々な形態のジオフェンス基盤自動案内システムの運営イメージである。
【図２】本発明の好ましい一実施形態に係る内部／外部緩衝地帯を備えた様々な形態のジオフェンス基盤自動案内システムのうち、ユーザのモバイル機器に設けられる指定地域案内アプリのフレームワークを示すブロック図である。
【図３】本発明の好ましい一実施形態に係る内部／外部緩衝地帯を備えた様々な形態のジオフェンス基盤自動案内システムのうち、クラウドシステムを概略的に示すブロック図である。
【図４】本発明の好ましい一実施形態に係る内部／外部緩衝地帯を備えた様々な形態のジオフェンス基盤自動案内システムのうち、ユーザのモバイル機器に設けられる指定地域案内アプリを概略的に示すブロック図である。
【図５】本発明で定義した内部／外部緩衝地帯を備えた様々な形態のジオフェンス、各ジオフェンスの内廓境界線、内部緩衝地帯、ジオフェンス、外部緩衝地帯、外郭境界線を有する様々な形態のジオフェンス及び多段階階層構造を説明するための模式図である。
【図６Ａ】楕円形ジオフェンスの周縁の長さをそれぞれ算出する過程を説明する模式図である。
【図６Ｂ】五角形ジオフェンスの周縁の長さをそれぞれ算出する過程を説明する模式図である。
【図７Ａ】本発明で定義したジオフェンスの階層構造概念を説明するための模式図である。
【図７Ｂ】本発明で定義したジオフェンスの階層構造概念を説明するための模式図である。
【図８】図１に示された内部／外部緩衝地帯を備えた様々な形態のジオフェンス基盤自動案内システムを用いて指定地域を案内する方法を概略的に説明したフローチャートである。
【図９】図８に示された指定地域関連情報登録ステップのうち、指定地域一般情報登録、指定地域内部施設のＧＰＳ座標情報登録、指定地域の内部施設物のジオフェンス設定、指定地域内部施設の写真、バーチャルリアリティ動画、及び説明文登録、指定地域の内部仮想経路登録を概略的に説明したフローチャートである。
【図１０】図８に示された指定地域の内部施設物のジオフェンス設定を概略的に説明するフローチャートである。
【図１１】図８に示された指定地域案内アプリを用いて指定地域に対して情報照会、仮想体験、現場実行などの方法でモバイル機器を携帯しているユーザに指定地域を案内するステップを概略的に説明するフローチャートである。
【発明を実施するための形態】
【００３５】
以下、添付する図面を参照しながら実施形態を詳細に説明するが、本発明が実施形態によって制限または限定されることはない。実施形態の説明において、公知された機能あるいは構成に対する具体的な説明は本発明の要旨を明瞭にするために省略され得る。
【００３６】
以下、図１〜図１１を参照して本発明の一実施形態に係る内部／外部緩衝地帯を備えた様々な形態のジオフェンス基盤の指定地域自動案内システムについて詳細に説明する。
【００３７】
参考までに、図１は、本発明の一実施形態に係るクラウドコンピューティング技術基盤の内部／外部緩衝地帯を備えた様々な形態のジオフェンス基盤の指定地域自動案内システムの運営概念図である。図２は、内部／外部緩衝地帯を備えた様々な形態のジオフェンス基盤の指定地域自動案内システムの指定地域案内アプリフレームワークである。
【００３８】
ここで、「指定地域」とは、特定の地方自治体の観光地、特定の地方自治体の沿岸、大型寺院、大学校内、国立公園、自然学習地、海外有名な観光地などを指す。
【００３９】
図１を参照すると、内部／外部緩衝地帯を備えた様々な形態のジオフェンス基盤の指定地域自動案内システム１０は、クラウドシステム１１、グーグル／アップル社などのアップストア１２、ＬＡＮ又はＷｉ−Ｆｉを含む有線／無線インターネット網１３、３Ｇ／４Ｇ／ＬＴＥ／ＬＴＥ−Ａを含む移動通信社の移動通信網１４、システム管理者ＰＣ１５、指定地域情報を管理する複数の指定地域情報管理者ＰＣ１６、１７及び複数のユーザモバイル機器１８、１９を含んで構成される。
【００４０】
図２を参照すれば、指定地域案内アプリフレームワークは３つのレイヤから構成される。
【００４１】
第１のレイヤであるデバイスレイヤ６０は、ビーコン、ＧＰＳ、Ｗｉ−Ｆｉデバイスを認知、接続を担当し、事物インターネット（ＩｏＴ）又はビーコン機器６１、スマートフォン又はＧＰＳ機器６２、及びＷｉ−Ｆｉ又はブルートゥース又は３Ｇ／４Ｇ機器６３を含む。
【００４２】
第２のレイヤであるプラットフォームレイヤ４０は、データ貯蔵所５１、データ管理及び分析部分４６、データ提供の部分であるＡＰＩインターフェース４１を含む。
【００４３】
ここで、データ貯蔵所５１は、指定地域の地域案内情報データベース５２、指定地域のジオフェンス情報データベース５３、指定地域の経路案内情報データベース５４を含む。また、データ貯蔵所５１で機器登録５５、機器接続５６及び自動認知５７が実行される。
【００４４】
データ解釈及び管理部分４６は、データ貯蔵所５１の各種データをデータプロビジョニング（Data Provisioning、Big Data）４７し、各種のデータを管理及び認知４９し、リアルタイムに複雑な関連情報を分析及び解釈４８し、その結果を情報照会モード４２、現場実行モード４３及び仮想体験モード４４にＡＩＧＳ  ＡＰＩ（Artificial Intelligence Guide System Application Programming Interface）４５を介して伝達する機能を有する。
【００４５】
第３のレイヤであるアプリケーションレイヤ３０は、デバイスレイヤ、プラットフォームレイヤをベースに様々なアプリケーションが構成される部分である。
【００４６】
図３は、図１に示された内部／外部緩衝地帯を備えた様々な形態のジオフェンス基盤の指定地域自動案内システムのうち、クラウドシステム（ＳａａＳ：Software as a Service）の構成図であり、図４は、図１に示された内部／外部緩衝地帯を備えた様々な形態のジオフェンス基盤の指定地域自動案内システムのうち、位置基盤指定地域自動案内アプリ２００の構成図である。
【００４７】
図３を参照すると、内部／外部緩衝地帯を備えた様々な形態のジオフェンス基盤の指定地域自動案内システム１０のうち、クラウドシステム１００は、クラウドシステム１００を使用しようとするユーザ情報を管理するユーザ情報管理モジュール１１１、指定地域の一般情報を管理する指定地域情報管理モジュール１１２、指定地域のジオフェンス情報を管理する指定地域ジオフェンス情報管理モジュール１１３、指定地域仮想経路情報を管理する指定地域仮想経路情報管理モジュール１１４を含む情報管理ユニット１１０、及び情報管理ユニット１１０の各管理モジュールで生成または参照されるデータはデータベース管理システム（データベースＭＳ：Data Base Management System）によって管理されるユーザ情報データベース１２１、指定地域一般情報データベース１２２、指定地域ジオフェンス情報データベース１２３、指定地域仮想経路情報データベース１２４を含むデータベース管理ユニット１２０が含まれる。
【００４８】
情報管理ユニット１１０は、内部／外部緩衝地帯を備えた様々な形態のジオフェンス基盤の指定地域自動案内システム１０を使用しようとするユーザ情報、ジオフェンスを設定しようとする指定地域情報、指定地域のジオフェンス情報、指定地域の仮想経路情報を生成及び管理する。そのために、情報管理ユニット１１０は、ユーザ管理モジュール１１１、指定地域情報管理モジュール１２２、指定地域ジオフェンス情報管理モジュール１１３、指定地域仮想経路情報管理モジュール１１４を含む。
【００４９】
ユーザ管理モジュール１１１は、内部／外部緩衝地帯を備えた様々な形態のジオフェンス基盤の指定地域自動案内システム１０のうち、クラウドシステム１００を使用しようとするシステム管理者及び指定地域管理者のユーザ情報をユーザ情報データベース１２１に登録して管理する。ユーザ情報データベース１２１は、ユーザの所属機関の名称、一連番号、ユーザ名、パスワード、携帯番号、メールアドレス、Ｅメール受信の有無、ＳＭＳ文字受信の有無を含む。
【００５０】
指定地域情報管理モジュール１１２は、内部／外部緩衝地帯を備えた様々な形態のジオフェンス基盤の指定地域自動案内システム１０を用いてモバイル機器を携帯しているユーザに指定地域の特徴を案内しようとする指定地域の関連情報を指定地域の一般情報データベース１２２に記録して管理する。指定地域情報データベース１２２は、指定地域の特徴を案内しようとする地域名称、地域面積、地域居住人口数、地域を代表する写真ファイル、地域の特徴説明、地域内の主な関心地点、施設物又は施設のイメージファイル、バーチャルリアリティ動画、施設物又は施設の特徴説明文などの情報を含む。
【００５１】
指定地域ジオフェンス情報管理モジュール１１３は、指定地域を代表する主な施設物又は施設の関連情報を指定地域ジオフェンス情報データベース１２３に登録する。指定地域ジオフェンス情報データベース１２３は、指定地域、指定地域内の施設物又は施設のＧＰＳ座標情報、ジオフェンス形態、ジオフェンスの内廓境界線、内部緩衝地帯、ジオフェンス、外部緩衝地帯、ジオフェンスの外郭境界線、上位施設物又は施設のＩＤ、下位施設物又は施設のＩＤ、ビーコンＩＤ情報などを含む。
【００５２】
指定地域仮想経路情報管理モジュール１１４は、指定地域仮想経路情報を指定地域仮想経路情報データベース１２４に登録する。指定地域仮想経路情報データベース１２４は、指定地域内の仮想経路ＩＤ、仮想経路名称、仮想経路ＩＤごとに接続される施設物又は施設のＩＤ、各ＩＤ間距離及び通過所用時間（徒歩）などを含む。
【００５３】
図４を参照すると、内部／外部緩衝地帯を備えた様々な形態のジオフェンス基盤の指定地域自動案内システム１０のうち、指定地域案内アプリ２００は、指定地域案内アプリの実行環境を設定する環境設定モジュール２１１、地域案内情報を提供する地域案内情報提供モジュール２１２、指定地域内施設物又は施設のジオフェンス及びビーコンＩＤ情報を提供するジオフェンス情報提供モジュール２１３、指定地域内施設物又は施設を仮想的に接続する仮想経路情報を提供する経路案内情報提供モジュール２１４、現場実行モジュール２１８で施設物又は施設のジオフェンス進入後管理する経由地情報管理モジュール２１５、指定地域案内情報を案内する情報照会モジュール２１６、指定地域を訪問することなく仮想で体験する仮想体験モジュール２１７、モバイル機器を携帯しているユーザが指定地域を訪問して実際に案内を自動で受ける現場実行モジュール２１８を含む地域案内ユニット２１０と、地域案内ユニット２１０の各モジュールで生成または参照するデータはデータベース管理システム（データベースＭＳ：Data Base Management System）によって管理される環境情報データベース２２１、地域案内情報データベース２２２、ジオフェンス情報データベース２２３、経路案内情報データベース２２４、経由地情報データベース２２５を含むデータベース管理ユニット２２０、及びモバイル機器の基本機能であるＧＰＳ位置情報受信機能とデータをやり取りするＧＰＳインターフェースモジュール２３１、モバイル機器の基本機能であるＷｉ−Ｆｉ通信機能、３Ｇ通信機能又は４Ｇ通信機能とデータをやり取りする通信インターフェースモジュール２３２、モバイル機器の基本機能であるＴＴＳ（Ｔｅｘｔ−ｔｏ−Ｓｐｅｅｃｈ）機能とデータをやり取するＴＴＳインターフェースモジュール２３３、移動通信網と独立した運営のための羅針盤アプリインターフェースモジュール２３４、移動通信網連係運営のためのクラウドシステムとモバイルシステムのデータベース同期化モジュール２３５を含むインターフェースユニット２３０を含む。
【００５４】
地域案内ユニット２１０は、指定地域案内アプリの実行環境を設定し、予め設定された指定地域案内情報、指定地域ジオフェンス情報、指定地域経路案内情報を情報照会モジュール、仮想体験モジュール、現場実行モジュールに提供し、モバイル機器を携帯しているユーザが指定地域に関する情報を照会したり、仮想体験したり、実際の現場を訪問して案内を受け、経由地を通過する場合に既経由地情報をデータベース２２５に記録する。このために、地域案内ユニット２１０は、環境設定モジュール２１１、地域案内情報提供モジュール２１２、ジオフェンス情報提供モジュール２１３、経路案内情報提供モジュール２１４、経由地情報管理モジュール２１５、情報照会モジュール２１６、仮想体験モジュール２１７、現場実行モジュール２１８を含む。
【００５５】
環境設定モジュール２１１は、モバイル機器を携帯しているユーザが指定地域案内アプリをモバイル機器にインストールした後、指定地域案内アプリの実行環境を設定して環境情報データベース２２１に格納する。環境情報データベース２２１は、言語の種類、ＴＴＳ声の種類、移動通信網連係又は独立運営の有無、開発者情報、ヘルプなどを含んでいる。
【００５６】
情報照会モジュール２１６は、地域案内情報提供モジュール２１２を用いて指定地域案内アプリ生成時に登録されている地域案内情報データベース２２２の内容をモバイル機器を携帯しているユーザの操作によりユーザにイメージ、バーチャルリアリティ動画、テキスト、音声情報を提供する。ここで、環境情報データベース２２１の言語設定を確認して該当の言語に該当する説明文をテキストで提供すると共に、ＴＴＳインターフェースモジュール２３３を用いて音声情報をモバイル機器を携帯しているユーザに提供する。地域案内情報データベース２２２は、特徴を案内しようとする指定地域の名称、面積、居住人口数、地域を代表する写真ファイル、説明、指定地域内の主な施設物又は施設、各施設物又は施設のイメージファイル、バーチャルリアリティ動画、韓国語からなる施設物又は施設の特徴説明と、これを英語、日本語、中国語、フランス語、ドイツ語、スペイン語などの外国語に翻訳した説明文などの情報を含んでいる。
【００５７】
仮想体験モジュール２１７は、モバイル機器を携帯しているユーザが仮想体験できるようにする。モバイル機器を携帯しているユーザが仮想体験モジュール２１７を実行し、経路案内情報データベース２２４で経路を選択すると、経路案内情報提供モジュール２１４が指定地域案内アプリの生成時に登録されている経路案内情報データベース２２４の選択した仮想経路を用いて、モバイル機器のデジタル地図上に該当の地域を表示して仮想的に移動を実施する。仮想移動中にＧＰＳ座標情報が指定地域案内アプリの生成時に登録されているジオフェンス情報データベース２２３のいずれかのジオフェンスの外郭境界線、外部緩衝地帯、ジオフェンス、内部緩衝地帯、内廓境界線を通過する時点に該当の施設物又は施設に該当する地域案内情報データベース２２２の内容を地域案内情報提供モジュール２１２を介してモバイル機器を携帯しているユーザにイメージ、バーチャルリアリティ動画、テキスト、音声情報を提供する。ここで、環境情報データベース２２１の言語設定を確認して該当の言語に該当する説明文をテキストで提供すると共に、ＴＴＳインターフェースモジュール２３３を介して音声情報をモバイル機器を携帯しているユーザに所望する言語に提供する。経路案内情報データベース２２４は、指定地域内部の仮想経路ＩＤ、仮想経路名称、仮想経路ＩＤごとに接続される施設物又は施設ＩＤ、各施設物又は施設間の距離及び通過所用時間（徒歩）などを含んでいる。また、ジオフェンス情報データベース２２３は、指定地域内部の施設物又は施設のＧＰＳ座標情報、ジオフェンス形態、内廓境界線、内部緩衝地帯、ジオフェンス、外部緩衝地帯、外郭境界線、上位施設物又は施設のＩＤ、下位施設物又は施設のＩＤ、ビーコンＩＤ情報などを含んでいる。
【００５８】
現場実行モジュール２１８は、モバイル機器を携帯しているユーザが現場に到着した時にモバイル機器に指定地域案内アプリを自動的にインストールして該当の指定地域を訪問して移動を開始すると、モバイル機器を携帯しているユーザのモバイル機器がデジタル地図と該当地域のＧＰＳ座標情報を参照してＧＰＳインターフェースモジュール２３１を介してユーザ携帯機器のＧＰＳ位置情報がリアルタイムに提供される。提供されたＧＰＳ座標情報が指定地域案内アプリの生成時に登録されているジオフェンス情報データベース２２３のいずれかのジオフェンス指定境界線及び内部緩衝地帯を通過する時、これを自動認知して該当の施設物又は施設に該当する地域案内情報データベース２２２の内容を地域案内情報提供モジュール２１２を介してモバイル機器を携帯しているユーザに写真、バーチャルリアリティ動画、テキスト、音声情報を自動提供する。ここで、環境情報データベース２２１の言語設定を確認して該当の言語に該当する説明文をテキストで提供すると共に、ＴＴＳインターフェースモジュール２３３を介して音声情報をモバイル機器を携帯しているユーザに該当の言語に提供する。モバイル機器を携帯しているユーザがいずれかのジオフェンスの内廓境界線、内部緩衝地帯、ジオフェンス、外部緩衝地帯、外郭境界線を順に通過すると、ジオフェンス情報提供モジュール２１３を用いてジオフェンス情報データベース２２３から最も近い施設物又は施設を検索して方向情報及び距離情報を提供し、既経由した該当の施設物又は施設を経由地情報管理モジュール２１５を介して経由地情報データベース２２５に既経由地としてこれを記録する。また、環境情報データベース２２１の運営モードを確認して移動通信網と関わりのない独立モードである場合、モバイル機器を携帯しているユーザが移動を開始すると、羅針盤アプリインターフェースモジュール２３４及びＧＰＳインターフェースモジュール２３１を用いて正確な方向情報を提示し、運営モードが移動通信網に連係である場合、クラウドシステムデータベース同期化モジュール２３５を用いてクラウドシステムの該当の指定地域に関するデータベースを指定地域案内アプリが有するデータベースと同期化を実行する。経由地情報データベース２２５は、モバイル機器を携帯しているユーザが経由した施設物又は施設のＧＰＳ座標、進入日時、通過日時などの情報を含む。
【００５９】
図５は、内部／外部緩衝地帯を備えた様々な形態のジオフェンス、階層構造を有するジオフェンス、各施設物又は施設の内廓境界線、内部緩衝地帯、ジオフェンス、外部緩衝地帯、外郭境界線を含む緩衝地帯の概念を示す模式図であり、図６Ａ及び図６Ｂは、ジオフェンス周縁の長さを算出する過程を説明するための模式図であって、図６Ａは楕円形ジオフェンス、図６Ｂは五角形ジオフェンスの周縁の長さをそれぞれ算出する過程を説明する模式図である。図７Ａ及び図７Ｂは、本発明で定義した指定地域内施設物又は施設を体系的に案内するために設定する多段階階層構造を示す模式図である。
【００６０】
図５を参照すると、指定地域の最上位ジオフェンス３００は、例えば、指定地域の施設物又は施設のジオフェンス３０１、指定地域の施設物又は施設のジオフェンス３０２、及び指定地域の施設物又は施設の下位施設ジオフェンス３０３のように階層構造を有する。そして、各階層構造のジオフェンスは、施設物の外郭境界線３１１、施設物の外部緩衝地帯３１２、施設物のジオフェンス３１３、施設物の内部緩衝地帯３１４、及び施設物の内廓境界線３１５を含んで構成される。
【００６１】
そして、図６Ａ及び図６Ｂを参照すると、楕円形ジオフェンスと五角形ジオフェンスの周縁の長さを算出する。
【００６２】
一方、図７Ａは、指定地域のリソース別ビューとしてレベル４に階層化され、図７Ｂは、案内しようとする特別コース別ビューとしてレベル５に構成される。
【００６３】
図７Ａを参照すると、指定地域のリソース別ビューは、指定地域の最上位階層ジオフェンス（Ｌｅｖｅｌ０、リソースＶｉｅｗ）４０１は、指定地域の施設−１（Ｌｅｖｅｌ１、リソースＶｉｅｗ）４１１、指定地域の施設−２（Ｌｅｖｅｌ１、リソースＶｉｅｗ）４１２、指定地域の施設物−１（Ｌｅｖｅｌ１、リソースＶｉｅｗ）４１３、指定地域の施設−３（Ｌｅｖｅｌ１、リソースＶｉｅｗ）４１４、及び指定地域の施設−４（Ｌｅｖｅｌ１、リソースＶｉｅｗ）４１５が１ステップである。そして、指定地域の施設物−１の施設−１（Ｌｅｖｅｌ２、リソースＶｉｅｗ）４２１、指定地域の施設物−１の施設−２（Ｌｅｖｅｌ２、リソースＶｉｅｗ）４２２、指定地域の施設物−１の施設−３（Ｌｅｖｅｌ２、リソースＶｉｅｗ）４２３が２ステップとなる。そして、指定地域の施設−２の下部施設−１（Ｌｅｖｅｌ３、リソースＶｉｅｗ）４３１、指定地域の施設−２の下部施設−２（Ｌｅｖｅｌ３、リソースＶｉｅｗ）４３２、指定地域の施設−２の下部施設−３（Ｌｅｖｅｌ３、リソースＶｉｅｗ）４３３が３ステップとなり、合計４ステップで階層化される。
【００６４】
図７Ｂを参照すると、案内しようとする特別コース別ビューは、指定地域の最上位階層ジオフェンス（Ｌｅｖｅｌ０、コースＶｉｅｗ）５０１が０ステップとなり、指定地域の案内コース−１（Ｌｅｖｅｌ１、コースＶｉｅｗ）５１１、指定地域の案内コース−２（Ｌｅｖｅｌ１、コースＶｉｅｗ）５１２、指定地域の案内コース−３（Ｌｅｖｅｌ１、コースＶｉｅｗ）５１３が１ステップ、指定地域の施設−１（Ｌｅｖｅｌ２、コースＶｉｅｗ）５２１、５２２：指定地域の施設−２（Ｌｅｖｅｌ２、コースＶｉｅｗ）５２２、指定地域の施設物−１（Ｌｅｖｅｌ２、コースＶｉｅｗ）５２３、指定地域の施設−３（Ｌｅｖｅｌ２、コースＶｉｅｗ）５２４、指定地域の施設−４（Ｌｅｖｅｌ２、コースＶｉｅｗ）５２５が２ステップ、指定地域の施設物−１の施設−１（Ｌｅｖｅｌ３、コースＶｉｅｗ）５３１、指定地域の施設物−１の施設−２（Ｌｅｖｅｌ３、コースＶｉｅｗ）５３２、指定地域の施設物−１の施設−３（Ｌｅｖｅｌ３、コースＶｉｅｗ）５３３が３ステップ、指定地域の施設−２の下部施設−１（Ｌｅｖｅｌ４、コースＶｉｅｗ）５４１、指定地域の施設−２の下部施設−２（Ｌｅｖｅｌ４、コースＶｉｅｗ）５４２、指定地域の施設−２の下部施設−３（Ｌｅｖｅｌ４、コースＶｉｅｗ）５４３が４ステップとなって、合計５ステップで階層化される。
【００６５】
上記のような構成を有する本発明による内部／外部緩衝地帯を備えた様々な形態のジオフェンス基盤自動案内システム１０を用いた指定地域及び指定地域に属する施設物又は施設のジオフェンスを設定する方法と指定地域案内方法を図８〜図１１を参考して説明する。
【００６６】
参考までに、図８は、内部／外部緩衝地帯を備えた様々な形態のジオフェンス基盤の指定地域自動案内システムを用いて指定地域を案内する方法を概略的に説明するフローチャートである。図８は、クラウドシステムを使用しようとするユーザ登録ステップ、指定地域の諸般関連情報を登録するステップ、指定地域案内アプリを生成してグーグル／アップル社のアップストアに登録するステップ、指定地域案内アプリを自動的にインストールするステップ、指定地域を自動的に案内する方法を概略的に説明する。また、図９は、図８に示された指定地域関連情報登録ステップのうち施設物又は施設のＧＰＳ座標登録、ジオフェンス設定、施設物又は施設の写真、バーチャルリアリティ動画及び説明登録、施設物又は施設を仮想的に連結する仮想経路登録を概略的に説明したフローチャートである。また、図１０は、図８に示されたジオフェンス設定ステップを概略的に説明するフローチャートである。また、図１１は、図８に示された指定地域自動案内ステップを概略的に説明するフローチャートである。
【００６７】
図８を参照すると、まず、クラウドシステムユーザ情報を登録する（Ｓ１０００）。クラウドシステムユーザ情報登録ステップ１０００は、クラウドシステムユーザのユーザ情報をデータベースに登録する。具体的に、クラウドシステムユーザ登録ステップ１０００は、情報管理ユニット１１０のユーザ情報管理モジュール１１１を介してシステムユーザ情報をデータベース管理ユニット１２０のユーザ情報データベース１２１に格納する。
【００６８】
クラウドシステムユーザ情報登録ステップ１０００の後には、指定地域関連情報を登録する（Ｓ２０００）。指定地域の関連情報を登録するステップ（Ｓ２０００）は、指定地域関連情報、指定地域ジオフェンス情報、指定地域仮想経路情報をデータベースに登録する。具体的に、指定地域の関連情報を登録するステップ（Ｓ２０００）は、指定地域及び内部施設物の一般情報を登録する機能（Ｓ２１００）、指定地域及び内部施設物又は施設のＧＰＳ座標情報を登録する機能（Ｓ２２００）、指定地域の内部施設物又は施設のジオフェンスを設定する機能（Ｓ２３００）、施設物又は施設の写真、バーチャルリアリティ動画及び説明を登録する機能（Ｓ２４００）、指定地域の内部仮想経路を登録する機能（Ｓ２５００）を含む。指定地域の情報を登録する機能（Ｓ２１００）、施設物又は施設のＧＰＳ座標情報を登録する機能（Ｓ２２００）、及び施設物又は施設の写真、バーチャルリアリティ動画及び説明文を登録する機能（Ｓ２４００）は、情報管理ユニット１１０の指定地域情報管理モジュール１１２を用いてデータベース管理ユニット１２０の指定地域情報データベース１２２に格納する。また、指定地域の内部施設物又は施設のジオフェンスを設定する機能（Ｓ２３００）は、情報管理ユニット１１０の指定地域ジオフェンス情報管理モジュール１１３を用いてデータベース管理ユニット１２０の指定地域ジオフェンス情報データベース１２３に格納する。また、指定地域の内部仮想経路を登録する機能（Ｓ２５００）は、情報管理ユニット１１０の指定地域仮想情報管理モジュール１１４を用いてデータベース管理ユニット１２０の指定地域仮想情報データベース１２４に格納する。また、具体的に、指定地域の内部施設物又は施設のジオフェンス設定機能２３００は、施設物又は施設の名称、写真、バーチャルリアリティ動画及びＧＰＳ座標情報を照会（Ｓ２３０１）し、階層化構成の必要性を判断して必要性がなければＧＰＳ座標間の最短距離を抽出する機能（Ｓ２３０７）を行い、必要性があれば、階層化構成対象施設物又は施設を決定し（Ｓ２３０２）、階層化構成対象施設物又は施設のＧＰＳ座標間の最短距離を抽出し（Ｓ２３０３）、階層化構成対象内ＧＰＳ座標ごとの半径の長さを決定し（Ｓ２３０４）、階層化構成の中心点になるＧＰＳ座標及び半径の長さを決定し（Ｓ２３０５）、階層化施設物又は施設として登録する（Ｓ２３０６）。階層化構成が完了すれば、指定地域内施設物又は施設（階層化された施設物又は施設を含む）のＧＰＳ座標間の最短距離を抽出し（Ｓ２３０７）、施設物又は施設の半径の長さを決定する（Ｓ２３０８）。それぞれの施設物又は施設を周辺の地形構造を考慮してジオフェンスのタイプを決定（Ｓ２３０９）し、楕円形であれば中心点を基準にして決定された半径の長さをｘ軸の正の方向及び負の方向を軸にする焦点を決定する（Ｓ２３１０）。ここで、楕円形の内廓の周縁は、図６Ａを参照して決定される。施設物又は施設の両端が開放された形態のジオフェンスが必要な関心地点に対しては、緩衝地帯の方向を決定する（Ｓ２３１１）。ジオフェンスの形態が直角三角形である場合、決定された半径の長さを用いて関心地点を中心にする円形周縁を決定して任意の点を決定する（Ｓ２３１２）。ジオフェンスの形態が四角形である場合、対角線の長さを決定し（Ｓ２３１３）、ＧＰＳ座標上の４地点を決定する（Ｓ２３１４）。ジオフェンスのタイプが五角形である場合、図６Ｂを参照してＧＰＳ座標（Ｏ値）及び半径利用Ｃ、Ｄ、Ｅの値を決定し（Ｓ２３１５）、線分ＢＥを用いた円周を５等分した地点を決定する（Ｓ２３１６）。その後、内廓境界線、内部緩衝地帯、外部緩衝地帯、外郭境界線を決定して緩衝地帯の幅を決定し（Ｓ２３１７）、ＧＰＳ座標ごとのジオフェンスを設定する（Ｓ２３１８）。指定地域のジオフェンスを決定するためにグループ化された施設物又は施設及び個別施設物又は施設の緯度及び経度の最大値と最小値を抽出し（Ｓ２３１９）、内廓境界線、内部緩衝地帯、外部緩衝地帯、外郭境界線を有する指定地域ジオフェンスを設定する（Ｓ２３２０）。
【００６９】
参考までに、現在のグーグル／アップル社のジオフェンシングＡＰＩは、特定ＧＰＳ座標値を中心にして特定距離を半径にする円形及び単純な多角形ジオフェンス設定のみが可能であるため、周辺の地形構造を反映した様々な形態のジオフェンス設定をサポートすることができない。本発明では、これを解決するために定形／非定型円形、楕円形、定形／非定型多角形、両端が開放された形態のジオフェンスの設定機能を提供する。また、現在の位置基盤サービス（ＬＢＳ：Location Based Service）の深刻な問題点としてジオフェンスの端にユーザのモバイル機器が位置する場合、ＧＰＳ（衛星航法装置）の誤差によってユーザの位置がジオフェンス内外を常に移動するものと表示されることで正確な案内が難しい。しかし、本発明はこれを解決するために、図５に示すように様々な形態のジオフェンスを設定する機能と緩衝地帯を設定する機能とを同時に提供する。具体的に、本発明のジオフェンス設定方法は、施設物又は施設の外郭境界線３１１、外部緩衝地帯３１２、ジオフェンス３１３、内部緩衝地帯３１４、内廓境界線３１５は、ジオフェンスの端にユーザ端末が位置する場合にＧＰＳ（衛星航法装置）の誤差によってユーザの位置がジオフェンス内外を常に移動するものと表示されることで正確な案内が難しい問題点を解決する。そのため、指定地域内施設物又は施設に対して多段階（Multi-Level）の階層化を可能にする。指定地域の階層化は、レベル１又はＧｒａｎｄｐａｒｅｎｔ３００、レベル２又はＰａｒｅｎｔ３０１、レベル３又はＣｈｉｌｄ３０２、レベル４又はＧｒａｎｄｓｏｎ３０３に表示される。これは、図７Ａ及び図７Ｂに示すように、指定地域のリソースごとのビューａはレベル４で階層化され得るが、案内しようとする特別なコースごとのビューｂはレベル５で構成されなければ効果的な案内ができない、体系化された設定方式である。
【００７０】
指定地域の関連情報を登録するステップＳ２０００の後には、指定地域案内アプリを登録する（Ｓ３０００）。指定地域案内アプリを登録するステップは、アップル／グーグル社のアップストア又はクラウドシステムに登録する。
【００７１】
指定地域案内アプリを登録するステップＳ３０００の後には、モバイル機器を携帯しているユーザが指定地域案内アプリを手動又は自動でインストールする（Ｓ４０００）。指定地域案内アプリをインストールするステップＳ４０００は、アップル／グーグル社のアップストアで検索してインストールしたり、モバイル機器を携帯しているユーザが指定地域に到着して指定地域の特定ビーコン信号や指定地域管理者が提供する有線／無線ＡＰ（Access Point）装置がモバイル機器を自動で認識して発送するインストール案内メッセージを受信して確認後インストールを承認すれば、特定Ｗｉ−Ｆｉ網をサポートする有線／無線ＡＰ装置によってクラウドシステムでダウンロードし、これを自動インストールする。インストールの後、選好言語を韓国語、英語、日本語、中国語、ドイツ語、フランス語、スペインなどの言語のいずれか１つに自動あるいは手動で設定し、指定地域案内アプリの運営環境を移動通信網連係モード又は独立モードに設定する。
【００７２】
指定地域案内アプリをインストールするステップＳ４０００の後には、モバイル機器を携帯しているユーザの指定地域案内アプリを自動で実行した後、ユーザのモバイル機器が指定地域の施設物又は施設のジオフェンス及びビーコンＩＤ情報を自動認識し、モバイル機器を携帯しているユーザがいずれの操作なしに自動案内する（Ｓ５０００）。
【００７３】
指定地域を案内するステップＳ５０００は、情報照会モード、仮想体験モード、現場実行モードを提供する。現場実行モードでは関心地域を通過するごとに経由地情報管理モジュール２１５を用いて経由地情報データベース２２５を記録する。具体的に、指定地域を案内するステップＳ５０００は、モバイル機器のＧＰＳ受信装置及びビーコン信号受信装置を実行する（Ｓ５００１）。案内システム実行モードが現場実行モードであり、環境情報データベース２２１の運営モードが移動通信網独立モードである場合には、クラウドシステムデータベース同期化モジュール２３５を用いてクラウドシステムのデータベースをダウンロードして自体のデータベースに格納し、羅針盤アプリインターフェースモジュール２３４及び地域案内情報データベース２２２に格納されている指定地域の最上位ジオフェンスを境界とする独立したデジタル地図を含む羅針盤アプリを駆動させる（Ｓ５００１）。移動通信網連係モードの場合には、クラウドシステムデータベース同期化モジュール２３５を用いてクラウドシステムのデータと同期化を行い、デジタル地図を駆動させる（Ｓ５００２）。その後、現場実行モジュール２１８を用いて指定地域ジオフェンス情報を確認し（Ｓ５００３）、該当の指定地域の特徴を案内して最初出発地を確認する（Ｓ５００４）。モバイル機器を携帯しているユーザが移動を開始すると、移動方向が自動で決定されて最も短い時間に到達可能な指定地域の施設物又は施設までの距離を自動算出する（Ｓ５００５）。ユーザが指定地域の施設物又は施設の外郭境界線、外部緩衝地帯、ジオフェンス、内部緩衝地帯、内廓境界線に到達すると、施設のビーコン信号と共に互いに補完してこれを自動認知し（Ｓ５００６）、施設物又は施設の情報を自動提供する（Ｓ５００７）。ここで、環境情報データベース２２１の言語設定を確認して該当の言語テキスト情報をＴＴＳインターフェースモジュール２３３を介して自動で音声情報に変換して提供する。施設物又は施設の内廓境界線、内部緩衝地帯、ジオフェンス、外部緩衝地帯、外郭境界線を順に通過すれば（Ｓ５００８）、経由地情報管理モジュール２１５を介して経由地情報データベース２２５に予め訪問先の情報が自動的に記録され、次の施設物又は施設に対する案内を受けるために予め訪問先を除いた最も近い距離にある指定地域内部の施設物又は施設までの距離を算出する（Ｓ５００５）ステップから再び開始する。
【００７４】
指定地域案内アプリの実行モードが情報照会モードである場合、指定地域内の指定地域のリストを照会する（Ｓ５００９）。指定地域のリストから指定地域を選択し（Ｓ５０１０）、該当の施設物又は施設を表現するイメージ情報、バーチャルリアリティ動画、及び環境情報データベース２２１の言語設定を確認して該当の言語テキスト情報と該当テキスト情報をＴＴＳインターフェースモジュール２３３を介して音声情報に変換して同時に提供する。指定地域案内アプリの実行モードが仮想体験モードである場合、経路案内情報提供モジュール２１４を介して経路案内データベース２２４の仮想経路リストを照会し（Ｓ５０１１）、照会された仮想経路リストから該当の経路を選択し（Ｓ５０１２）、仮想体験を実行する（Ｓ５０１３）。仮想体験モードは、選択された仮想経路の各施設物又は施設に対して仮想でＧＰＳ座標を移動させ、各施設物又は施設のジオフェンスに進入／進出時に該当の施設物又は施設を仮想的に移動しながら、予め登録された該当の施設物又は施設を表現するイメージ情報、バーチャルリアリティ動画、及び環境情報データベース２２１の言語設定を確認して、該当の言語テキスト情報と該当テキスト情報をＴＴＳインターフェースモジュール２３３を介して音声情報に変換して同時に提供する。
【００７５】
本実施形態によれば、詳細には、モバイル環境である指定地域及び該当の指定地域に属する複数の施設物又は施設の詳細情報をモバイル機器を携帯しているユーザに自動案内するため、該当の指定地域の中心ＧＰＳ座標（経度、緯度）及び指定地域に位置する各種の施設物又は施設の中心ＧＰＳ座標（経度、緯度）を登録し、登録された各種の施設物又は施設の周辺地形構造を考慮して近隣の施設物又は施設のジオフェンスが重ならないように、内部／外部緩衝地帯を備えた様々な形態のジオフェンスを設定し、基本的に発生するＧＰＳ誤差を自体的に補正するために設定されたジオフェンスに内外郭境界線を画定して内部／外部緩衝地帯を設定し、加えて、極めて精密な位置案内を制御するために各種の施設物又は施設にインストールされた近距離通信が可能な無線通信装置であるビーコンから発送される無線信号を受信し、該当の指定地域に対して自動でモバイル機器を携帯しているユーザに案内するシステムを提供する。自動案内機能は、情報照会機能、仮想体験機能、現場実行機能を有する。情報照会機能は、モバイル機器を携帯しているユーザが遠隔地で、すなわち、該当の指定地域を訪問することなく該当の指定地域及び属する各種の施設物又は施設リストからいずれか１つを選択して該当の施設物又は施設の一般情報、バーチャルリアリティ動画、写真情報、詳細案内テキスト情報を視聴することが可能であり、仮想体験機能は、該当の指定地域の情報管理者が設定した推薦コースに沿って仮想的に移動しながら推薦コースに含まれた各種の施設物又は施設の一般情報、バーチャルリアリティ動画、写真情報、詳細案内テキスト情報を同時に視聴できる。現場実行機能は、移動通信網と連係してモバイル機器を携帯しているユーザが予め設定された指定地域の施設物又は施設にアクセスすれば、ジオフェンス情報及びビーコンで発信するビーコンＩＤ情報が受信されれば、自動で該当の施設の一般情報、バーチャルリアリティ動画、写真情報、詳細案内テキスト情報を見せると同時に聞かせる。そして、いずれかの施設物又は施設を離脱すると、すなわち、該当の施設物又は施設の内廓境界線、外部緩衝地帯、ジオフェンス、外部緩衝地帯、及び外郭境界線を順に通過すれば、該当の施設物又は施設は経由地として指定し、既経由地を除いた施設物又は施設を対象に最も短い時間に到達可能な施設物又は施設を抽出して方向、距離、及び予想所用時間を提示する。現場実行機能は、移動通信網を用いることなく独立的に案内可能である。独立的な案内のためには、モバイル機器を携帯しているユーザが指定地域案内アプリを最初に実行するとき公共Ｗｉ−Ｆｉ網又は移動通信網に接続して該当の指定地域の最上位ジオフェンスの外郭境界線を境界にするデジタル地図をダウンロードした後、Ｗｉ−Ｆｉ通信装置、３Ｇ／４Ｇデータ通信装置の作動を中断させて実行する。移動通信網と独立して実行する場合には、ＧＰＳ装置で提供する現在の位置情報と羅針盤アプリで提供する防衛情報を用いて次の目的地の方向、距離、所用時間算出などを行う。モバイル機器を携帯しているユーザが移動時に一定の角度を超過して方向を転換する場合、自動的に次の目的地の修正された方向、距離、所用時間を算出してユーザに音声で案内をすることを特徴とする、内部／外部緩衝地帯を備えた様々な形態のジオフェンス基盤自動案内システムを提供する。
上述したように実施形態がたとえ限定された実施形態を参照して説明したが、当技術分野の熟練した当業者であれば、下記の請求の範囲に記載された本発明の思想及び領域から逸脱しない範囲内で本発明を多様に修正及び変更させる可能性があることは理解できるであろう。
【符号の説明】
【００７６】
１０：内部／外部緩衝地帯を備えた様々な形態のジオフェンス基盤自動案内システム
１１：クラウドシステム
１２：グーグル／アップル社のアップストア
１３：有線／無線インターネット網
１４：移動通信社の移動通信網
１５：管理者ＰＣ
１６、１７：指定地域情報管理者ＰＣ
１８、１９：ユーザモバイル機器
【図１】
2017174415.tif 000003
【図２】
2017174415.tif 000004
【図３】
2017174415.tif 000005
【図４】
2017174415.tif 000006
【図５】
2017174415.tif 000007
【図６Ａ】
2017174415.tif 000008
【図６Ｂ】
2017174415.tif 000009
【図７Ａ】
2017174415.tif 000010
【図７Ｂ】
2017174415.tif 000011
【図８】
2017174415.tif 000012
【図９】
2017174415.tif 000013
【図１０】
2017174415.tif 000014
【図１１】
2017174415.tif 000015
【外国語明細書】
2017174415000001.pdf